(57)【要約】      （修正有）【課題】コネクタ部材同士の隣接面のコンタクトの横方向列内に配置された手動操作可能なロック装置を提供する。【解決手段】本コネクタ装置はプリント基板２５の複数の回路をそれぞれ複数の導電体Ｃと接続することに用いられ、これらの導電体とそれぞれ接続された端子を有する第１のコネクタ部材２と、プリント基板回路とそれぞれ接続された複数の導電ピン２６を有する第２のコネクタ部材３とを一緒にロックするロック部材４を含む。第１の実施形態において、ロックピンは、第１の導電体部材と電気的に接続される第２のコネクタ部材に対してロック解除位置とロック位置との間を長手方向に摺動変位させるために第１のコネクタ部材と接続される。ロック部材がロック位置にあるとき動作可能な複数対の補助コンタクトが備えられてもよい。【選択図】図１
2008277292.tif 000002
【特許請求の範囲】
【請求項１】
［ａ］複数の電気回路を有するプリント基板（２５）と、
［ｂ］互いに同一直線上にある長手方向軸線を有するソケット状のコネクタ部材（２）およびプラグ状のコネクタ部材（３）と、
［ｃ］前記コネクタ部材（２，３）を共にロックするロック手段（４）と
を備える、複数の導電体（Ｃ）を前記プリント基板（２５）上の前記複数の電気回路とそれぞれ接続するコネクタ装置であって、
［１］前記コネクタ部材（２，３）の一方が、前記プリント基板の前記電気回路とそれぞれ接続された横方向に列をなす導電ピン（２６）を含み、
［２］前記コネクタ部材（２，３）の他方が、複数の導電体とそれぞれ接続するように構成された横方向に列をなす端子（２７）を含み、
［３］前記プラグ状のコネクタ部材および前記ソケット状コネクタ部材が、これらのコネクタ部材の当接面が共通面（６）に含まれる接続状態であり、前記導電ピンが前記端子と接続される接続状態を有し、
前記ロック手段が、前記接続状態にて前記コネクタ部材を共にロックし、前記ロック手段が、前記導電ピンの列および前記端子の列に配置されている、コネクタ装置。
【請求項２】
前記ロック手段が、前記導電ピンの列および前記端子の列の中心に配置されている、請求項１に記載のコネクタ装置。
【請求項３】
前記ロック手段が摺動ロック部材（４）を含み、該摺動ロック部材が、前記コネクタ部材の一方に対してロック位置とロック解除位置との間で長手方向に摺動可能に、前記コネクタ部材の他方（２）に接続されている、請求項１に記載のコネクタ装置。
【請求項４】
前記摺動ロック部材が、前記ロック位置にあるとき第１の状態から第２の状態に動作可能である補助コンタクト手段（２１、２２；２３、２４；１４、１５）をさらに含む、請求項３に記載のコネクタ装置。
【請求項５】
前記補助コンタクト手段が、前記摺動ロック部材に取り付けられた第１の補助コンタクト（２１）を含み、該第１の補助コンタクトが、前記一方のコネクタ部材（３）によって支持された対応する第２の補助コンタクト（２２）と係合可能となっている、請求項４に記載のコネクタ装置。
【請求項６】
前記第１の補助コンタクトが、電磁的に動作可能な振動リードコンタクト（２３）であり、該振動リードコンタクトが、前記一方のコネクタ部材によって支持された静止した第２のコンタクト（２４）と協働するように配置されている、請求項４に記載のコネクタ装置。
【請求項７】
前記第１の補助コンタクトおよび前記第２の補助コンタクトが、前記摺動ロック部材によって開状態から閉状態に動作するように前記一方のコネクタ部材に取り付けられた弾性コンタクト（１４、１５）である、請求項４に記載のコネクタ装置。
【請求項８】
前記第１の補助コンタクトおよび前記第２の補助コンタクトが導光部材を含む、請求項４に記載のコネクタ装置。
【請求項９】
前記摺動ロック部材が、前記第１の補助コンタクトが取り付けられる長手方向貫通孔（２０）を含む、請求項５に記載のコネクタ装置。
【請求項１０】
前記締結部材が、一体の弾性舌状部（８）を含み、該舌状部は、前記ロック部材が前記ロック位置にあるときに前記一方のコネクタ部材によって支持されたロックエッジ（１１）に係合するキャッチカム（７）を有している、請求項３に記載のコネクタ装置。
【請求項１１】
前記締結部材が、前記キャッチカムを前記ロックエッジから係合解除する手動操作ボタン部（１２）を含む、請求項１０に記載のコネクタ装置。
【請求項１２】
前記ロック位置に向かう前記ロック部材の摺動変位の範囲を制限するストップキャッチ手段（１７）をさらに含む、請求項１１に記載のコネクタ装置。
【請求項１３】
前記ロック手段が、前記一方のコネクタ部材における第２のロック手段（３０）に対してロック位置とロック解除位置との間を変位できるように前記他方のコネクタ部材の枢軸（３１）を中心として枢動可能に変位できる弾性ロック舌状部（８）を有するロック部材（４’）を備える、請求項１に記載のコネクタ装置。
【請求項１４】
前記弾性ロック舌状部がロックカム（７）を支持しており、該ロックカムが、前記一方のコネクタ部材によって支持された、対応するロックエッジ（３０）との係合をロックするように配置されている、請求項１３に記載のコネクタ装置。
【請求項１５】
前記ロックカムが、該ロックカムを前記ロックエッジから係合解除する手動操作ボタン部（１２）を含む、請求項１４に記載のコネクタ装置。
【発明の詳細な説明】
【技術分野】
【０００１】
[0002]プリント基板の回路をそれぞれ複数の導電体と接続するために用いられるコネクタ装置に関し、かかるコネクタ装置は、これらの導電体に接続された端子を有する第１のコネクタ部材を、プリント基板の回路に接続された複数のピンを有する第２のコネクタ部材にロックするためのロック部材を含む。
【背景技術】
【０００２】
[0003]ロック手段を備える電気コネクタ装置は、本発明と同一出願人に譲渡された独国特許文献であるＤＥ２０２０１６０９Ｕ１、ＤＥ１９５３５８３６Ａ１、Ｇ９３１１４５７．５、ＤＥ２９５１３９９７Ｕ１、およびＤＥ３４４００４３によって明示されているように、当分野で公知である。
【発明の開示】
【発明が解決しようとする課題】
【０００３】
[0004]一般的な最新技術は確立している。しかし、コネクタの構造をその構造、特にその簡潔さとその機能的性質に関してさらに最適化することが望ましい。
【課題を解決するための手段】
【０００４】
[0005]したがって、本発明の主な目的は、一方がプリント回路基板と電気的に接続され取り付けられたプラグ状とソケット状のコネクタ部材を、電気的に係合した状態にて、一緒にロックするロック手段を含む、複数の導電体をプリント基板上の電気回路にそれぞれ接続する装置であって、ロック手段が、コネクタ部材同士の隣接面のコンタクトの横方向列内に配置された手動操作可能なロック部材を含む、装置を提供することである。
【０００５】
[0006]本発明のさらに具体的な目的によると、ロック手段は電気的に係合した１対のコネクタ部材に対してロック解除位置からロック位置に長手方向に変位できる摺動自在に変位可能なロック部材を含み、このロック部材はロック位置にあるとき１対の補助コンタクトを駆動することができる。第１の実施形態において、補助コンタクトは、ロック部材とプラグ状およびソケット状コネクタ部材の一方とに支持される。第２の実施形態において、補助コンタクトは電磁的に反応するリードコンタクトを含む。第３の実施形態において、ロック部材は、ロック部材から延びてコネクタ部材の一方によって支持される１対の弾性コンタクトを作動せせる軸方向突起を含む。さらに他の実施形態において、補助コンタクトは、コネクタ部材の一方に含まれる開口を通して見える導光部材を含んでもよい。
【０００６】
[0007]本発明の他の実施形態によると、ロック部材はコネクタ部材の一方の一端に固定状態に取り付けられ、コネクタ部材の一方の他端にはコネクタ部材が電気的に係合される接続状態にあるとき他方のコネクタ部材に対してロック位置とロック解除位置の間で枢動可能に動作する弾性部分を含む。
【０００７】
[0008]本発明は、コネクタ装置、特にプラグ状およびソケット状コネクタ部材を備えるプリント基板配置を創出するもので、コネクタの一方はソケット部品であることが好ましく、コネクタ部材の他方はピン部品であると同時に少なくとも１個のロック装置を備え、ロック位置において２個の相互連結するコネクタ部材を過失による分離から守り、第２のコネクタ部材の１つの保持装置は移動が可能であり（特に軸方向変位および／または枢動変位が可能である）、コネクタ部品がいずれの場合も少なくとも１列に配置されてそれらのプラグイン面の領域で互いに接続される複数のコンタクトを有することが好ましく、さらにいずれの場合も接続される相互コンタクトの少なくとも１列のロック装置と保持装置が２つのコンタクト間に配置される。
【０００８】
[0009]好ましくは、ロック装置はロックスライダとして作られ、ロックスライダはロック位置で２個の相互連結パッチコネクタの本体を過失による分離から守り、第１のコネクタの案内ハウジング内に案内されて第２のコネクタの保持装置を構成する第２のコネクタの挿入ダクト内に移されることができ、それによって少なくとも１個のロックスライダが１方のコネクタの案内ハウジングおよび第２の対応するコネクタの挿入ダクトとともにいずれの場合も２つのコンタクトの間に接続される相互コンタクトの列の中に配置される。
【０００９】
[0010]特に有利なことは、少なくとも１個のロックスライダと一方のコネクタ部材の案内ハウジング、および第２の対応するコネクタの挿入案内通路がいずれの場合も接続される相互コンタクトの列の中央に配置されることである。こうして、単一のロックスライダのみと、単一の案内ハウジングのみと、単一の挿入ダクトのみをパッチプラグ部品に備えることさえも可能である。
【００１０】
[0011]本発明によるコネクタでは、さらに有利には、きわめて簡単で分り易く工具を必要としない操作を提供する独国特許文献ＤＥ２０２０１６０９Ｕ１に示された一般的な最新装置のロック手段の簡単な構造を基本的に採用している。ロック手段は接続部の間に設置されるので、ロック装置の数はたった１個まで減らせる。最新技術の場合のように、ロック装置の末端の配置に代る少なくとも１つのロック手段の中央の特に対称な（または非対称な）配置では、第２のロック装置をなしで済ませてコネクタ部品を１個のロックを用いるだけで互いに一緒に結合することが可能になる。かくして、機能的性質は同じまま少ない構造空間で済み、すなわち、同じ構造空間で機能的有効性を容易に高めることさえもできる。そのうえ、操作性は片手だけでロックを行える程度までさらに改善される。ロック装置および／または追加機能要素の１つとは、２つのコンタクトの間にあり、ロック装置に互いにじかに接する２つのコンタクトを結ぶ直線Ｌを遮るように配置される。
【００１１】
[0012]他の変形例によると、少なくとも１つのロック装置および／または保持装置の領域（特にこれらの装置内）に相互に対応する追加機能要素が配置されるコネクタ装置が創出される。かくして、ロックの領域には、追加機能要素、特に、パッチプラグ部品を互いに密着させることによって一緒に結合されさらに切り離される、すなわち機能的位置に出し入れされるコンタクトが収容される。
【００１２】
[0013]こうして、さらに他の問題も解決することができ、パッチプラグの構造空間を有効に利用することができる。この解決策は、一方で、「中央の」ロックスライダを備えた前述の種類のコネクタに適用されうる。しかし、この解決策は一般的な種類の他のコネクタにも適している。
【００１３】
[0014]領域、特に、ロック装置としてのロックスライダの少なくとも１つおよび／または保持装置としての適切な挿入通路の少なくとも１つには、相互に対応する機能要素が新たに配置されることが好ましい。
【００１４】
[0015]本発明の変形例によると、機能要素として働く導電コンタクトが互いに係合され分離される。
【００１５】
[0016]他の変形によると、機能要素として働く導光要素が互いに接続されて互いに分離される。
【００１６】
[0017]本発明の第３の変形形態によると、互いに接触せずに磁界、容量電界、または誘導場によって働く要素は、リードコンタクト等によって駆動または消勢される。
【００１７】
[0018]こうして、通常はロックにしか使用されない空間がこの場合は少なくとも１つまたは複数の追加機能要素、特にコンタクトに使用できるのでプリント基板のパッチプラグの構造空間を最適利用することができる。
【００１８】
[0019]本発明のさらに他の変形形態によると、例えば、機能要素として働く電磁的または電気機械的要素は互いに係合されて分離される。
【００１９】
[0020]本発明の一般的な意味は、例えば、ユニット内または導電体−導電体間接続の壁ブッシュとして他の用途で使用することを除外するものではなく、例えば、取付けレールに取り付けられる。本発明は、プリント基板接続部で導電体と電気回路の接続用の構成部品から構成される例示的に記載された組合せとともに、これらおよび他の実用性のある変形形態も含む。本発明は、例えば、いわゆるケーブル間接続または結合のための２個の構成部品と導電体接続部の組合せ（本明細書ではさらに詳しく説明しない）、あるいは２枚のプリント基板を接続するための２個の構成部品とプリント基板接続部の組合せとを含む。すべての構成部品は、プラグイン領域が反転構造型（半田付け接続用のソケットストリップ、または導電体接続用のピンストリップ）、すなわち、両性具備（ｈｅｒｍａｐｈｒｏｄｉｔｅ）設計でも実施されうる。
【００２０】
[0021]本発明のさらに他の変形形態によると、電気機械的（磁気的／誘導的または熱電気的）可動要素は、この作動時間中にロックの緩みがないように、すなわち有効に防止されるように駆動される。
【発明を実施するための最良の形態】
【００２１】
[0022]本発明の他の目的と長所は、添付図面に照らして以下の明細書を考察すれば明らかになろう。
【００２２】
[0023]まず、特に図１の（ａ）〜（ｄ）を参照すると、本発明のコネクタ装置は、複数の絶縁導電体Ｃをプリント基板２５上の電気回路にそれぞれ接続する１対のソケット状コネクタ部材２とプラグ状コネクタ部材３を含む。プラグ状コネクタ部材３は、横方向に列をなす略Ｌ字形の導電ピンコンタクト２６を含み、この導電ピンコンタクト２６は、その一端で下方に延びて、プリント基板によって支持された種々の電気回路とそれぞれ係合する。また、ピンコンタクトは、他端において、絶縁導電体Ｃの剥き出し端と接続された横方向に列をなしたねじ式端子２７のコンタクトとそれぞれ接続されたソケット状コネクタ部材２の対応するコンタクトと電気的に係合している。プラグ状およびソケット状のコネクタ部材は横断面６に含まれる当接面を有する。
【００２３】
[0024]本発明の要部によると、ロック手段４は、図１の（ａ）および（ｄ）の電気的に接続された状態であるときにプラグ状およびソケット状のコンタクト部材を一緒に接続するピンコンタクトと端子の列内に設けられる。このために、案内ハウジング５は、各々が２つのねじ込み端子２７を支持するソケット状コネクタ部２８ａ，２８ｂ間に強固に固定される。案内ハウジングは、ロック部材４が摺動可能に取り付けられる第１の長手方向通路５ａを含む。一端では、ロック部材は、プラグ状コネクタ部材３のハウジング２９の方向に突き出た一体の弾性舌状部８を含む。ロック部材４は、プラグハウジング２９の隣接端に画成された第２の案内通路１０の内部で延びている。ロック部材には、このロック部材を図１の（ｃ）のロック解除後退位置から図１の（ｄ）のロック位置の方向に移動させる一体の手動操作ボタン部１２が設けられている。ロック部材がこのロック位置の方向に移動されると、弾性舌状部８の先端によって支持されるロックカム部７が案内通路１０の保持端１１の後ろで跳ね上がり、それによってソケット状コネクタ部材２をプラグ状コネクタ部材３にロックする。ロック部材をロック解除するためにボタン１２が手動で押されると、ロックカム部７を下方に移動させてハウジング２９のロックエッジ１１から係合解除させる。
【００２４】
[0025]本発明の他の重要な要部によると、ロック部材５には長手方向貫通孔２０が設けられ、貫通孔には静止ピンコンタクト２２を受けるソケット状コンタクト２１が取り付けられ、静止ピンコンタクトは受入れ案内通路１０に取り付けられ、受入れ案内通路はプラグ状コンタクトハウジング２９の隣接端に取り付けられる。ピンコンタクト２２は、略Ｌ字形をしており、下方に延びてプリント基板２５上の所与の回路と係合する。こうして、ロック部材が図１の（ｄ）のロック位置にあるときに信号がプリント基板との間で送受信される。補助コンタクト２２とロックカム７は、装置がロック状態にあるとき、ハウジング開口３５（図１の（ａ））から見える。
【００２５】
[0026]図２の（ａ）〜（ｄ）に示される本発明の第２の実施形態において、摺動ロック部材４は、電磁的に動作可能なリードコンタクト２３を支持しており、このリードコンタクトは、静止コンタクト２４に隣接するプラグ状コンタクト部材３のハウジング内に含まれた対応する通路を通って延びている。ロック部材４は、図２の（ａ）および（ｄ）のロック位置にあり、かつロックカム７がハウジングのロックエッジ１１とラッチ係合しているとき、リードコンタクト２３の端部はハウジング２９に含まれる開口３５から見える。磁気駆動のコンタクトから構成されるリードコンタクトの機能要素２３、２４は、例えば、プリント基板上、またはロック装置の可動部内のフランジおよび永久磁石の構造空間内にあるが、機能要素２３、２４の位置は逆でもよい。
【００２６】
[0027]別の方法として、ロックスライダ４上に機能要素としてラムを使用してもよいと考えられ、もしくは対応するコネクタ部材３上に金属板またはピン１４、１５等の２つのコンタクトを係合するためにロックスライダそのものをラムとして使用してもよいと考えられる（図３）。
【００２７】
[0028]ロックスライダ部材は、ロック状態がハウジング開口３５からロックスライダ４の位置によって光学的に認識できるという利点をさらに与える。ロック部材に組み入れられる他の機能要素は、特に、監視制御およびモニタリング装置によってロック機能の電気的な監視が可能になる。例えば、プラグ状コネクタ部材に直接ＬＥＤを取り付けて状態を光学的に、あるいは音響的に示してもよいと考えられる。コネクタは、例えば、制御のためのコンタクトを別に内蔵しているので、別個のケーブルの接続を追加しなくてもコンタクトの追加によって適切に処理しうることはこの場合の利点である。
【００２８】
[0029]ここで、例えば、少なくとも２つの電気的に相互に分離された補助コンタクトを備える少なくとも１個のコンタクトチャンバを複数常備することによって、例えば制御コンタクトとして、または、例えばコネクタ部品上で接続される（プリント基板または外部に対して接続を追加する可能性があるときにコネクタ部品上で接続され、これはプッシュイン接続等の任意の方法で設計されうる）他のコンタクトが属するバスのデータや電源ライン用のコンタクトとしてなどの、他の目的で少なくともどれか一方の（補助）コンタクトを使用してもよいと考えられる。
【００２９】
[0030]ロックスライダ４は、ここでは、例として弾性材料、例えば、適当な合成プラスチック絶縁材料から一部品として作られる。同様に、コネクタ部材２および３の本体は適当な電気絶縁材料から形成される。
【００３０】
[0031]図４によると、参照符号１は第１のコネクタ２と第２のコネクタプラグ部品３とから構成されるコネクタ装置を示し、この配置によって、２つのコネクタ２および３は結合状態にあるときロック装置４によって過失による分離から守られる。
【００３１】
[0032]図４のロック装置４は、この場合も２個の相互連結コネクタ２、３のロック位置（図４の（ｃ））を過失による分離から守り、第２のパッチプラグ部品３の保持装置に移動可能である。保持装置は挿入ダクト１０のキャッチエッジ３０として作られる。ロック装置４は、例えば、２つのコンタクト間で第１のパッチプラグ部品に配置され、上記の実施形態のようにコネクタ部材２に対して軸方向変位可能でないが、コネクタ部材３で枢動可能に変位できる。また、保持装置４は、キャッチフック、すなわちキャッチカム７がある自由端に弾性舌状部８を有し、キャッチカム７も入口スロープ９を有することが好ましい。
【００３２】
[0033]舌状部８は、第２のパッチプラグ状部材２とともに枢軸またはブリッジ３１によってキャッチフックから間隔をあけた領域でさらに接続される。さらに舌状部８に合わせて成形された操作ボタン１２があり、これはプラグイン方向Ｘに垂直な圧力を操作ストラップ１２に加えることによってキャッチフック／カム７付きの舌状部８がプラグイン方向Ｘに対して本質的に垂直に移動または揺動しうるように設計され、配置される。
【００３３】
[0034]２個のプラグ状コネクタ部材２、３（図４）が一緒に押されると、入口スロープ９はまず初めにキャッチエッジ３０に接触し、その結果、舌状部８は外れ（図４の（ｄ））、２個のパッチプラグ状部材２および３がさらに押されるとキャッチカム７が最終的にキャッチエッジ３０の下に係合するように潜り込む。この位置で、２個のコネクタ部材２、３は過失により互いに分離されないように固定される（図４の（ｃ））。
【００３４】
[0035]操作ボタン１２（図４の（ｂ）に従って）を押すと、キャッチカム７付きの舌状部８はロック位置から外れて２個のコネクタ２、３は再び互いに分離されうる。
【００３５】
[0036]前述の図に示された任意の追加機能も、この例示的な実施形態において実施されうる。
【００３６】
[0037]本発明の好ましい形態と実施形態が図示され説明されてきたが、本発明から逸脱することなく変更されてもよいことは当業者には自明であろう。
【図面の簡単な説明】
【００３７】
【図１】（ａ）は本発明のロック状態にあるコネクタ装置の第１の実施形態の上面図、（ｂ）は本発明のロック状態にあるコネクタ装置の第１の実施形態の左端面図、（ｃ）はロック解除状態にある図１の（ａ）の装置の縦断面図、（ｄ）は図１の（ａ）のライン１ｄ〜１ｄに沿って切断された装置の断面図である。
【図２】（ａ）は本発明のロック状態にあるコネクタ装置の第２の実施形態の上面図、（ｂ）は本発明のロック状態にあるコネクタ装置の第２の実施形態の左端面図、（ｃ）はロック解除状態にある図２の（ａ）の装置の縦断面図、（ｄ）は図２の（ａ）のライン２ｄ〜２ｄに沿って切断された装置の断面図である。
【図３】（ａ）は本発明のロック状態にあるコネクタ装置の第３の実施形態の上面図、（ｂ）は本発明のロック状態にあるコネクタ装置の第３の実施形態の左端面図、（ｃ）はロック状態にある図３の（ａ）の装置の縦断面図、（ｄ）は図３の（ａ）のライン３ｄ〜３ｄに沿って切断された装置の断面図である。
【図４】（ａ）は本発明のコネクタ装置の第４の実施形態の平面斜視図、（ｂ）は部分的に接続された状態にある図４の（ａ）のロック手段を示す側面斜視断面図、（ｃ）は完全に接続された状態にある図４の（ａ）のロック手段を示す側面斜視断面図、（ｄ）は完全に解放された状態にある図４の（ａ）のロック手段を示す側面斜視断面図である。
【符号の説明】
【００３８】
２…コネクタ部材、３…コネクタ部材、４…ロック手段、５…案内ハウジング、５ａ…第１の長手方向通路、６…横断面、７…ロックカム部、８…弾性舌状部、９…入口スロープ、１０…案内通路、１１…ロックエッジ、１２…操作ボタン部、１４、１５…金属板またはピン、２０…長手方向貫通孔、２１…ソケット状コンタクト、２２…ピンコンタクト２３…リードコンタクト、２４…静止コンタクト、２５…プリント基板、２６…ピンコンタクト、２７…ねじ込み端子、２８ａ、２８ｂ…ソケット状コネクタ部、２９…ハウジング、３０…キャッチエッジ、３１…枢軸またはブリッジ、３５…ハウジング開口、Ｃ…絶縁導電体
【図１】
2008277292.tif 000003
【図２】
2008277292.tif 000004
【図３】
2008277292.tif 000005
【図４】
2008277292.tif 000006
【外国語明細書】
2008277292000001.pdf